(57)【要約】【課題】電力増幅器の電力効率の向上が可能な送信回路及び携帯端末装置を提供すること。【解決手段】検波器２５は、電力増幅器２３から出力される出力信号の包絡線波形を検出する。ＢＰＦ２６は、少なくとも送信周波数が阻止帯域となる特性を有し、検波器２５により検波された信号の隣接チャネル周波数成分を抽出する。ＡＤＣ２８ｂは、ＢＰＦ２６から出力された信号をディジタル信号へ変換する。これにより、ＡＤＣ２８ｂからは隣接チャネル漏洩電力の測定値が出力される。歪特性制御部１６は、隣接チャネル漏洩電力の測定値に基づいて電力増幅器２３の電源電圧を制御する。【選択図】図１
2008098830.tif 000002
【特許請求の範囲】
【請求項１】
所定の送信周波数の送信信号を増幅して出力する電力増幅器と、
前記電力増幅器から出力される出力信号の包絡線波形を検出する検波器と、
前記検波器からの出力に基づいて、前記送信周波数帯域外の電力を示す隣接チャネル漏洩電力を測定する隣接チャネル漏洩電力測定部と、
前記測定された隣接チャネル漏洩電力に基づいて、前記電力増幅器の電源電圧を制御する歪特性制御部と
を備え、
前記隣接チャネル漏洩電力測定部は、
少なくとも前記送信周波数が阻止帯域となる特性を有し、前記検波器から出力された信号から隣接チャネル周波数成分を抽出する帯域通過フィルタと、
前記帯域通過フィルタから出力された信号をディジタル信号へ変換して出力する第一のＡ／Ｄ変換器と、
前記第一のＡ／Ｄ変換器から出力された信号を電力値に変換して隣接チャネル漏洩電力を得る第一の電力値変換手段と
を有する送信回路。
【請求項２】
請求項１に記載の送信回路であって、
前記検波器から出力された信号瞬時電力を示す波形を平滑化する低域通過のフィルタと、前記低域通過フィルタから出力された信号をディジタル信号へ変換して出力する第二のＡ／Ｄ変換器と、前記第二のＡ／Ｄ変換器から出力された信号を電力値に変換して平均送信電力を得る第二の電力値変換手段とを有する平均電力測定部を更に備え、
前記歪特性制御部は、前記隣接チャネル漏洩電力の測定値から前記平均電力の測定値を減算して隣接チャネル漏洩電力比を求め、当該隣接チャネル漏洩電力比に応じて前記電力増幅器の電源電圧を制御する送信回路。
【請求項３】
請求項１に記載の送信回路であって、
前記低域通過フィルタの出力に接続された第一の入力部及び前記帯域通過フィルタの出力に接続された第二の入力部のうちのいずれか一方を選択して、前記第一のＡ／Ｄ変換器の入力に接続する第一の切替部と、
前記第一の切替部が前記第一の入力部を選択したときに第一のＡ／Ｄ変換器から得られる出力を平均電力測定時の信号として出力し、前記第一の切替部が前記第二の入力部を選択したときに第一のＡ／Ｄ変換器から得られる出力を前記隣接チャネル漏洩電力測定時の信号として出力する第二の切替部と
を更に備え、
前記歪特性制御部は、前記第一のＡ／Ｄ変換器から出力され前記第一の電力値変換手段にて変換された隣接チャネル漏洩電力の測定値から、前記第一のＡ／Ｄ変換器から出力され前記第二の電力値変換手段にて変換された平均電力の測定値を減算して隣接チャネル漏洩電力比を求め、当該隣接チャネル漏洩電力比に応じて前記電力増幅器の電源電圧を制御する送信回路。
【請求項４】
請求項２ないし３のいずれかに記載の送信回路であって、
前記電力増幅器の前段に接続された可変利得増幅器と、
前記可変利得増幅器の利得を制御する送信電力制御部と
を更に備え、
前記送信電力制御部は、前記平均電力の測定値と所定の設定値との差に基づいて、前記可変利得増幅器の利得を制御する送信回路。
【請求項５】
請求項１ないし４のいずれかに記載の送信回路であって、
前記歪特性制御部は、
隣接チャネル漏洩電力比に応じた制御信号を生成する制御信号生成回路と、
前記制御信号に基づいて前記電力増幅器へ供給する電源電圧を変化させるＤＣ／ＤＣ変換器と
を有する送信回路。
【請求項６】
請求項５に記載の送信回路であって、
前記歪特性制御部は、前記制御信号生成回路の出力信号をアナログ信号へ変換するＤ／Ａ変換器を更に有し、
前記ＤＣ／ＤＣ変換器は、前記Ｄ／Ａ変換器の出力に基づいて、前記電力増幅器へ供給する電源電圧を変化させるＤＣ／ＤＣ変換器を有する送信回路。
【請求項７】
請求項５に記載の送信回路であって、
前記ＤＣ／ＤＣ変換器は、ディジタル信号により制御可能なＤＣ／ＤＣ変換器を有し、前記制御信号生成回路からの制御信号に基づいて前記電力増幅器へ供給する電源電圧を変化させる回路。
【請求項８】
請求項６または７に記載の送信回路であって、
前記ＤＣ／ＤＣ変換器は、昇降圧型ＤＣ／ＤＣ変換器を有する送信回路。
【請求項９】
請求項６または７に記載の送信回路であって、
前記ＤＣ／ＤＣ変換器は、降圧型ＤＣ／ＤＣ変換器を有する送信回路。
【請求項１０】
請求項１ないし９のいずれかに記載の送信回路を備えた携帯端末装置。
【発明の詳細な説明】
【技術分野】
【０００１】
本発明は、送信回路及び携帯端末装置に関する。
【背景技術】
【０００２】
送信回路を備えた無線機等における送信電力制御方法の一例としては、送信電力を測定してその結果をもとにフィードバック制御する方法がある。
【０００３】
例えば特許文献１には、可変利得駆動増幅器と電力増幅器とで構成された可変利得電力増幅器を有する送信回路において、出力信号レベルを小さくした場合に消費電流をより削減し、電力効率の劣化を抑えることを目的とした送信回路が記載されている。
【０００４】
この送信回路は、可変利得電力増幅器の出力信号の一部を抽出、直流平滑して出力する信号抽出検波回路と、可変利得電力増幅器の消費電流が常に最小となるように、可変利得電力増幅器の出力信号レベルを決める基準電圧に応じて電圧源制御信号を発生する制御回路と、制御回路から出力される電圧源制御信号に応じて電源電圧及びバイアス電圧を電力増幅器に供給する可変電圧電源とを備えるものである。
【０００５】
【特許文献１】特開平７−１７０２０２号公報
【発明の開示】
【発明が解決しようとする課題】
【０００６】
例えば、携帯電話端末のように無線機を大量に製造する場合、電力増幅器をはじめとした各デバイスの個体差により、個々の無線機の歪特性にばらつきが発生してしまう。製造時には歩留まりが考慮されるので、１００％に非常に近い無線機が、歪特性の仕様を満足しなければならない。例えば、送信回路における電力増幅器の動作点が、送信回路の個体ごとの特性ばらつきを考慮して設定される。
【０００７】
上述したばらつきにより、平均より歪特性が劣る無線機においても仕様を満足するためには、歪特性の平均値が、本来必要な値に対して十分なマージンを持つように設計される必要がある。したがって、無線機によっては過剰なマージンを持つこととなり、この過剰なマージンに対応して、電力増幅器の最適な動作点を設定することができない場合がある。送信回路の電力増幅器は、無線機の中では消費電力の高い部分であるため、動作点の最適化が十分でないことは、無線機の消費電力の増加につながり、通話時間の低下等が引き起こされてしまう事情がある。
【０００８】
本発明は、上記の事情に鑑みてなされたものであって、電力増幅器の電力効率の向上が可能な送信回路及び携帯端末装置を提供することを目的とする。
【課題を解決するための手段】
【０００９】
本発明は、第１に、所定の送信周波数の送信信号を増幅して出力する電力増幅器と、前記電力増幅器から出力される出力信号の包絡線波形を検出する検波器と、前記検波器からの出力に基づいて、前記送信周波数帯域外の電力を示す隣接チャネル漏洩電力を測定する隣接チャネル漏洩電力測定部と、前記測定された隣接チャネル漏洩電力に基づいて、前記電力増幅器の電源電圧を制御する歪特性制御部とを備え、前記隣接チャネル漏洩電力測定部は、少なくとも前記送信周波数が阻止帯域となる特性を有し、前記検波器から出力された信号から隣接チャネル周波数成分を抽出する帯域通過フィルタと、前記帯域通過フィルタから出力された信号をディジタル信号へ変換して出力する第一のＡ／Ｄ変換器と、前記第一のＡ／Ｄ変換器から出力された信号を隣接チャネル漏洩電力の測定値に変換する電力値変換回路とを有する送信回路が提供されるものである。
【００１０】
本発明は、第２に、上記第１に記載の送信回路であって、前記検波器から出力された信号瞬時電力を示す波形を平滑化する低域通過のフィルタと、前記低域通過フィルタから出力された信号をディジタル信号へ変換して出力する第二のＡ／Ｄ変換器と、前記第二のＡ／Ｄ変換器から出力された信号を平均送信電力の測定値へ変換する第二の電力値変換回路を有する平均電力測定部を更に備え、前記歪特性制御部は、前記隣接チャネル漏洩電力の測定値から前記平均電力の測定値を減算して隣接チャネル漏洩電力比を求める機能を有する送信回路が提供されるものである
【００１１】
この構成により、隣接チャネル漏洩電力比を測定して電力増幅器の電源電圧を制御することにより、送信回路の個体毎における歪特性のばらつきを抑えることができる。したがって、歪特性の設定マージンを小さくしても仕様を満たすことが可能となるので、マージン低減により電力増幅器の動作点を上げることも可能となり、電力効率が改善し、送信回路の消費電力を削減することができる。
【００１２】
本発明は、第３に、上記第２に記載の送信回路であって、前記低域通過フィルタの出力に接続された第一の入力部及び前記帯域通過フィルタの出力に接続された第二の入力部のうちのいずれか一方を選択して、前記第一のＡ／Ｄ変換器の入力に接続する第一の切替部と、前記第一の切替部が前記第一の入力部を選択したときに第一の電力値変換回路の入力に接続された第一の出力部を選択し、前記第一の切替部が前記第二の入力部を選択したときに第二の電力値変換回路の入力に接続された第二の出力部を選択して、前記第一のＡ／Ｄ変換器の出力に接続される第二の切替部と、前記第一のＡ／Ｄ変換器の出力から隣接チャネル漏洩電力の測定値へ変換して出力する第一の電力値変換回路と、前記第一のＡ／Ｄ変換器の出力から平均電力の測定値へ変換して出力する第二の電力値変換回路とを備え、前記歪特性制御部は、前記隣接チャネル漏洩電力の測定値から前記平均電力の測定値を減算して隣接チャネル漏洩電力比を求め、当該隣接チャネル漏洩電力比に応じて前記電力増幅器の電源電圧を制御する送信回路が提供されるものである。
【００１３】
この構成により、第一のＡ／Ｄ変換器を隣接チャネル漏洩電力と平均電力との測定について時分割で共用することが可能となるので、送信回路の小型化を図ることができる。
【００１４】
本発明は、第４に、上記第２ないし第３のいずれかに記載の送信回路であって、前記電力増幅器の前段に接続された可変利得増幅器と、前記可変利得増幅器の利得を制御する送信電力制御部とを更に備え、前記送信電力制御部は、前記平均電力の測定値と所定の設定値との差に基づいて、前記可変利得増幅器の利得を制御する送信回路が提供されるものである。
【００１５】
この構成により、送信回路における送信電力を、所望の設定値に近づくように制御することができる。
【００１６】
本発明は、第５に、上記第１ないし第４のいずれかに記載の送信回路であって、前記歪特性制御部は、隣接チャネル漏洩電力比に応じた制御信号を生成する制御信号生成回路と、前記制御信号に基づいて前記電力増幅器へ供給する電源電圧を変化させるＤＣ／ＤＣ変換器とを有する送信回路が提供されるものである。
【００１７】
この構成により、ＤＣ／ＤＣ変換器を用いて電力増幅器の電源電圧を制御することができる。
【００１８】
本発明は、第６に、上記第５に記載の送信回路であって、前記歪特性制御部は、前記制御信号生成回路の出力信号をアナログ信号へ変換するＤ／Ａ変換器を更に有し、前記ＤＣ／ＤＣ変換器は、前記Ｄ／Ａ変換器の出力に基づいて、前記電力増幅器へ供給する電源電圧を変化させるＤＣ／ＤＣ変換器を有する送信回路が提供されるものである。
【００１９】
この構成により、アナログ制御により、電力増幅器に任意の電源電圧を供給することができる。
【００２０】
本発明は、第７に、上記第５に記載の送信回路であって、前記ＤＣ／ＤＣ変換器は、ディジタル信号により制御可能なＤＣ／ＤＣ変換器を有し、前記制御信号生成回路からの制御信号に基づいて前記電力増幅器へ供給する電源電圧を変化させる送信回路が提供されるものである。
【００２１】
この構成により、制御信号生成回路からの制御信号をＤ／Ａ変換する必要なく、電力増幅器に任意の電源電圧を供給することができる。
【００２２】
本発明は、第８に、上記第６または第７に記載の送信回路であって、前記ＤＣ／ＤＣ変換器は、昇降圧型ＤＣ／ＤＣ変換器を有する送信回路が提供されるものである。
【００２３】
この構成により、昇降圧型ＤＣ／ＤＣ変換器により、電力増幅器に任意の電圧を供給することができる。
【００２４】
本発明は、第９に、上記第６または第７に記載の送信回路であって、前記ＤＣ／ＤＣ変換器は、降圧型ＤＣ／ＤＣ変換器を有する送信回路が提供されるものである。
【００２５】
この構成により、ＤＣ／ＤＣ変換器に、比較的簡素な構成を有する降圧型ＤＣ／ＤＣ変換器が適用されることにより、送信回路の小型化を図ることができる。
【００２６】
本発明は、第１０に、上記第１ないし第９のいずれかに記載の送信回路を備えた携帯端末装置が提供されるものである。
【００２７】
この構成により、隣接チャネル漏洩電力を測定して電力増幅器の電源電圧を制御することにより、送信回路の個体毎における歪特性のばらつきを抑えることができる。したがって、歪特性の設定マージンを小さくしても仕様を満たすことが可能となるので、マージン低減により電力増幅器の動作点を上げることも可能となり、電力効率が改善し、送信回路の消費電力を削減することができる。
【発明の効果】
【００２８】
本発明によれば、電力増幅器の電力効率の向上が可能な送信回路及び携帯端末装置を提供することができる。
【発明を実施するための最良の形態】
【００２９】
（第１の実施形態）
図１は、本発明の第１の実施形態に係る送信回路の主要な構成を示すブロック図である。図１に示すように、本実施形態の送信回路は、ベースバンド信号処理部１０と無線信号処理部２０とを有する。
【００３０】
ベースバンド信号処理部１０は、信号処理部１１と、出力電力設定部１２と、送信電力制御回路１３と、目標ＡＣＰＲ設定部１４と、演算器１５と、歪特性制御回路１６と、電力値変換回路１７ａ，１７ｂとを備える。
【００３１】
また、無線信号処理部２０は、変調器２１と、可変利得増幅器２２と、電力増幅器２３と、カプラ２４と、検波器２５と、帯域通過フィルタ（以下、ＢＰＦという）２６と、低域通過フィルタ（以下、ＬＰＦという）２７と、Ａ／Ｄ変換器（以下、ＡＤＣという）２８ａ，２８ｂと、Ｄ／Ａ変換器（以下、ＤＡＣという）２９と、昇降圧型ＤＣ／ＤＣ変換器（以下、ＤＣ／ＤＣという）３０とを有する。
【００３２】
信号処理部１１は、送信すべき情報を処理し、ベースバンド信号を出力する。変調器２１は、信号処理部１１から出力されたベースバンド信号を変調して所定の送信周波数帯（無線周波数帯）の送信信号を出力する。
【００３３】
可変利得増幅器２２は、送信電力制御回路１３からの制御信号に基づいて利得が制御され、変調器２１から出力された送信信号を制御された利得にて増幅する。電力増幅器２３は、可変利得増幅器２２から出力された信号を所定の利得で増幅して出力する。
【００３４】
カプラ２４は、電力増幅器２３から出力された信号の一部を抽出する。検波器２５は、カプラ２４から抽出された信号の包絡線波形を検出する。
【００３５】
ＬＰＦ２７は低域通過フィルタの一例として機能するものであり、検波器２５から出力された信号の瞬時電力を示す波形を平滑化する。ＡＤＣ２８ａは第二のＡ／Ｄ変換器の一例として機能するものであり、ＬＰＦ２７から出力された信号をディジタル信号へ変換して出力する。電力値変換回路１７ａは第二の電力値変換回路の一例として機能するものであり、ＡＤＣ２８ａから出力された信号を変換して平均電力の測定値を出力する。なお、ＬＰＦ２７、ＡＤＣ２８ａ及び電力値変換回路１７ａは、平均電力測定部の一例として機能する。
【００３６】
ＢＰＦ２６は、少なくとも送信周波数が阻止帯域となり、隣接チャネル周波数帯域が通過帯域となる特性を有し、検波器２５から出力された信号から隣接チャネル周波数成分を抽出する。ＡＤＣ２８ｂは第一のＡ／Ｄ変換器の一例として機能するものであり、ＢＰＦ２６から出力された信号をディジタル信号へ変換する。電力値変換回路１７ｂは第一の電力値変換回路の一例として機能するものであり、ＡＤＣ２８ｂから出力された信号を変換して隣接チャネル漏洩電力の測定値を出力する。なお、ＢＰＦ２６、ＡＤＣ２８ｂ及び電力値変換回路１７ｂは、検波器２５からの出力に基づいて、隣接チャネル漏洩電力を測定する隣接チャネル漏洩電力測定部の一例として機能する。
【００３７】
出力電力設定部１２は、送信回路の送信電力の設定値を格納する。送信電力制御部１３は、ＡＤＣ２８ａから出力された平均電力の測定値と、出力電力設定部１２に格納された設定値とに基づいて制御信号を生成して可変電力増幅器２２へ出力し、可変電力増幅器２２の利得を制御する。例えば、送信電力制御部１３は、ＡＤＣ２８ａからの測定値が得られるまでは、出力電力設定部１３に格納された設定値を参照して、予め定められた変換法則にしたがって制御信号を生成する。そして、ＡＤＣ２８ａからの測定値が得られた後は、測定値と設定値との差が最小になるように、可変電力増幅器２２の利得を制御する制御信号を生成する。
【００３８】
目標ＡＣＰＲ設定部１４は、隣接チャネル漏洩電力比の目標値を格納する。演算器１５は、電力値変換回路１７ｂから出力された隣接チャネル漏洩電力の測定値から、電力値変換回路１７ａから出力された平均電力の測定値を減算する。この演算により、隣接チャネル漏洩電力比が求められる。
【００３９】
歪特性制御部１６は、演算器１５から出力された隣接チャネル漏洩電力比の測定値と、目標ＡＣＰＲ設定部１４に格納された目標値とに基づいて制御信号を生成してＤＣ／ＤＣ３０に出力し、電力増幅器２３の電源電圧を制御する。例えば、歪特性制御部１６は、演算器１５からの測定値が得られるまでは、出力電力設定部１２及び目標ＡＣＰＲ設定部１４に格納された目標値を参照し、予め定められた変換法則にしたがって制御信号を生成する。そして、演算器１５からの測定値が得られた後は、測定値と目標値との差が最小になるように制御信号を生成する。
【００４０】
ＤＡＣ２９は、歪特性制御部１６から出力されたディジタルの制御信号をアナログ信号に変換してＤＣ／ＤＣ３０に出力する。ＤＣ／ＤＣ３０は、ＤＡＣ２９から出力されたアナログの制御信号に基づいて、不図示の電源部から供給された直流電圧Ｖｂａｔを制御し、電力増幅器２３の電源電圧を出力する。
【００４１】
尚、電力値変換回路１７ａ、１７ｂによって行われる処理は、この回路によらずに、例えば送信電力制御部１３、演算器１５、歪特性制御部１６の内部において処理が行われるようにすることも可能である。
【００４２】
図２は本発明の第１の実施形態に係る送信回路の動作を示す説明図であり、図２（Ａ）は検波器及び低域通過フィルタによる信号変換前後の時間波形を示す図、図２（Ｂ）は検波器による信号変換前後の周波数スペクトル波形を示す図である。
【００４３】
図２（Ａ）に示すように、電力増幅器２３の出力信号１０１は、検波器２５によって瞬時電力を示す包絡線信号１０２に変換される。この部分を周波数スペクトルで表すと、図２（Ｂ）に示すように、無線周波数帯域にある電力増幅器２３の出力信号スペクトル１１１が、検波器２５による検波後の包絡線信号では、直流周波数帯域のスペクトル１１２となる。その中で、ＢＰＦ２６は、隣接チャネル帯域成分１１２ｂを取り出すために、特性１２６に示すような周波数特性を有する。
【００４４】
このような本発明の第１の実施形態によれば、フィードバックループにより、隣接チャネル漏洩電力比の測定値と目標値との差が最小となるように電力増幅器の動作点を制御することにより、隣接チャネル漏洩電力比が、個体差ばらつきによらず一定の値を保たれる。
【００４５】
すなわち、隣接チャネル漏洩電力を測定して電力増幅器の電源電圧を制御することにより、送信回路の個体毎における歪特性のばらつきを抑えることができる。したがって、歪特性の設定マージンを小さくしても仕様を満たすことが可能となるので、マージン低減により電力増幅器の動作点を上げることも可能となり、電力効率が改善し、送信回路の消費電力を削減することができる。
【００４６】
（第２の実施形態）
図３は、本発明の第２の実施形態に係る送信回路の主要な構成を示すブロック図である。図３において、第１の実施形態で説明した図１と重複する部分については同一の符号を付す。
【００４７】
図３に示すように、本実施形態の送信回路は、ベースバンド信号処理部５０と無線信号処理部６０とを備える。ベースバンド信号処理部５０は、信号処理部１１、出力電力設定部１２、送信電力制御部１３、目標ＡＣＰＲ設定部１４、演算器１５、歪特性制御部１６、電力値変換回路１７ａ，ｂのほか、切替回路５１を有する。また、無線信号処理部６０は、変調器２１、可変利得増幅器２２、電力増幅器２３、カプラ２４、検波器２５、ＢＰＦ２６、ＬＰＦ２７、ＤＡＣ２９、ＤＣ／ＤＣ３０のほか、切替回路６１と、ＡＤＣ６２とを有する。
【００４８】
切替回路６１は第一の切替部の一例として機能するものであり、第一の入力部の一例である端子ａと第二の入力部の一例である端子ｂとのうちのいずれか一方を選択して、ＡＤＣ６２の入力に接続する。なお、端子ａにはＬＰＦ２７が、端子ｂにはＢＰＦ２６が接続される。なお、切替回路６１は、例えば不図示の制御部からの制御信号に基づいて切り替えられる。この制御部は、本実施形態の送信回路に設けられてもよいし、本実施形態の送信回路が携帯端末装置等に適用されるときには、その携帯端末装置の動作を制御する制御部に含まれていてもよい。
【００４９】
ＡＤＣ６２は、第１の実施形態にて説明したＡＤＣ２８ａおよびＡＤＣ２８ｂと同様の機能を有し、切替回路６１から出力された信号をディジタル信号へ変換して送信電力および隣接チャネル漏洩電力の測定値を出力する。
【００５０】
切替回路５１は第二の切替部の一例として機能するものであり、ＡＤＣ６２からの出力と、端子ｃ及び端子ｄのうちのいずれか一方を選択して出力する。なお、端子ｃは、電力値変換回路１７ａを介して送信電力制御部及び演算器１５の一方の入力に接続され、端子ｄは電力値変換回路１７ｂを介して演算器１５の他方の入力に接続される。また、切替回路５１は、切替回路６１と同期して動作するものであり、切替回路６１において端子ａが選択されているときの測定値がＡＤＣ６２から出力されるタイミングでは端子ｃが選択され、切替回路６１において端子ｂが選択されているときの測定値がＡＤＣ６２から出力されるタイミングでは端子ｄが選択される。
【００５１】
すなわち、切替回路５１は、切替回路６１において端子ａが選択されているときには、検波器２５から出力された信号が、ＬＰＦ２７及びＡＤＣ６２を介した経路を通ることにより得られる平均電力の測定値を端子ｃから出力する。また、切替回路６１において端子ｂが選択されているときには、検波器２５から出力された信号が、ＢＰＦ２６、ＡＤＣ６２を介した経路を通ることにより得られる隣接チャネル漏洩電力の測定値を端子ｄから出力する。
【００５２】
このような本発明の第２の実施形態によれば、このようにして、切替回路５１，６１が時分割で切り替えられることにより、平均電力と、隣接チャネル漏洩電力とを、ＡＤＣ６２を共用して測定することが可能となる。
【００５３】
なお、上記第１及び第２の実施形態では、送信回路に用いられるＤＣ／ＤＣ３０の一例として、昇降圧型ＤＣ／ＤＣ変換器が用いられた場合について説明した。昇降圧型ＤＣ／ＤＣ変換器は、電力増幅器２３に任意の電圧を供給することができる。ただし、送信回路に用いられるＤＣ／ＤＣ３０は昇降圧型ＤＣ／ＤＣ変換器に限られるものではない。
【００５４】
例えば、ＤＣ／ＤＣ３０には、降圧型ＤＣ／ＤＣ変換器が用いられてもよい。降圧型ＤＣ／ＤＣ変換器は、比較的簡素な構成を有するので、送信回路の小型化を図ることができる。
【００５５】
また、ＤＣ／ＤＣ３０には、ディジタル信号により制御可能な昇降圧型（又は降圧型）ＤＣ／ＤＣ変換器が用いられてもよい。そして、このＤＣ／ＤＣ変換器が、歪特性制御部１６からの制御信号に基づいて電力増幅器２３へ供給する電源電圧を変化させる。この構成により、歪特性制御部１６からの制御信号をＤ／Ａ変換する必要なく、電力増幅器２３に任意の電源電圧を供給することができる。したがって、ＤＡＣ２９が不要となり、送信回路の小型化を図ることができる。
【産業上の利用可能性】
【００５６】
本発明の送信回路及び携帯端末装置は、電力増幅器の電力効率の向上が可能な効果を有し、携帯端末装置等に有用である。
【図面の簡単な説明】
【００５７】
【図１】本発明の第１の実施形態に係る送信回路の主要な構成を示すブロック図
【図２】本発明の第１の実施形態に係る送信回路の動作を示す説明図
【図３】本発明の第２の実施形態に係る送信回路の主要な構成を示すブロック図
【符号の説明】
【００５８】
１０，５０  ベースバンド信号処理部
１１  信号処理部
１２  出力電力設定部
１３  送信電力制御部
１４  目標ＡＣＰＲ設定部
１５  演算器
１６  歪特性制御部
１７ａ，１７ｂ  電力値変換回路
２０，６０  無線信号処理部
２１  変調器
２２  可変利得増幅器
２３  電力増幅器
２４  カプラ
２５  検波器
２６  帯域通過フィルタ（ＢＰＦ）
２７  低域通過フィルタ（ＬＰＦ）
２８ａ，２８ｂ，６２  Ａ／Ｄ変換器（ＡＤＣ）
２９  Ｄ／Ａ変換器（ＤＡＣ）
３０  昇降圧型ＤＣ／ＤＣ変換器（ＤＣ／ＤＣ）
５１，６１  切替回路
１０１  検波前の無線周波数帯信号の時間波形
１０２  検波後の無線周波数帯信号の時間波形
１１１  検波前の無線周波数帯信号のスペクトル波形
１１２  検波後の無線周波数帯信号のスペクトル波形
１１２ａ  スペクトル波形のうちの送信周波数帯
１１２ｂ  スペクトル波形のうちの隣接チャネル周波数帯
１２６  帯域通過フィルタの周波数特性
【図１】
2008098830.tif 000003
【図２】
2008098830.tif 000004
【図３】
2008098830.tif 000005